(57)【要約】【課題】操作に多くの経験を要することなく、患者自身でも操作が可能で、患者の状況に合った調節が容易にできる磁気治療器を提供する。【解決手段】発振器によって発生された周波数及び電流の大きさが可変のパルス電流を磁力線発生手段に供給して、磁力線を発生させる磁気治療器であって、  少なくとも１対の電磁石と、該電磁石を形成する１対の鉄芯の一端間を連結板で連結した前記磁力線発生手段を筐体内に収納すると共に、前記１対の鉄芯の他端を分離した状態で前記筐体の一部に形成される接触板に密着させることを特徴とする磁気治療器。【選択図】  図１
0003103766.tif 000002
【実用新案登録請求の範囲】
【請求項１】
発振器によって発生された周波数及び電流の大きさが可変のパルス電流を磁力線発生手段に供給して、磁力線を発生させる磁気治療器であって、
少なくとも１対の電磁石と、該電磁石を形成する１対の鉄芯の一端間を連結板で連結した前記磁力線発生手段を筐体内に収納すると共に、前記１対の鉄芯の他端を分離した状態で前記筐体の一部に形成される接触板に密着させることを特徴とする磁気治療器。
【請求項２】
前記筐体及び接触板は、磁気治療器の使用時に、当該筐体を手で保持して、接触板を患者の患部に容易にあてがうのに適した形状及び大きさに形成されることを特徴とする請求項１に記載の磁気治療器。
【請求項３】
前記磁気治療器は、前記発振器と前記筐体が別体に形成され、前記発振器に設けられた少なくとも１個の出力用コネクタを介して分離可能に構成されていることを特徴とする請求項１又は２に記載の磁気治療器。
【請求項４】
前記発振器をコンピュータを含む制御回路によって制御されるＰＷＭインバータで形成することを特徴とする請求項１〜３のいずれか１項に記載の磁気治療器。
【請求項５】
前記コンピュータの記憶部には、患者毎のパルス電流の周波数及び電流の大きさを含む履歴情報を蓄積しておくことを特徴とする請求項４に記載の磁気治療器。
【考案の詳細な説明】
【技術分野】
【０００１】
本考案は、磁気治療器に関するものであり、低周波或いは高周波周波数パルスにより磁力線を発生させ、発生した磁力線を患部に通過させる磁気治療器に関する。
【背景技術】
【０００２】
現在の社会では、オフィスなど職場のオートメーション化等により肉体的疲労及び精神的なストレスが大きく、且つ、運動不足により身体の各部の筋力低下を引き起こし、肩こりや腰痛を持つ人々が激増し、新たな問題点となっている。
このような症状を和らげるために考え出された器具としては、低周波治療器、赤外線治療器、磁気治療器等が知られている。
その内でも、磁気治療器は身体的ショックを伴わない点や衣服を着たまま使用できる点で好ましく、永久磁石を利用した磁気リング、磁気バンド、磁気腹巻、磁気貼付粒等の種々のものが実用化されている。
その１例として、下記の磁気治療器が知られている。（例えば、特許文献１参照）
【０００３】
上記特許文献１には図３(a)(b)に示す磁気治療器が開示されている。
「本実施例は、棒状のコア（鉄心或いはケイ素を含む薄鋼板を積み重ねて棒状にしたものなど）１に導線２を巻き付けて成る磁気発生手段３を形成し、それを合成樹脂等のフレーム１１に内蔵したプローブと、そのプローブが発生する磁気を制御する制御部６とで構成される。
【０００４】
プローブには、先端部がＮ極となるエヌプローブ４と、先端部がＳ極となるエスプローブ５とが有り、エヌプローブ４とエスプローブ５とでは、磁気発生手段３の導線２の巻き方向が逆になっており、フレーム１１の色も変えてある。
尚、エヌプローブ４とエスプローブ５を共通使用する場合、導線２の巻き方向を等しくし、制御部６において導線２に流入する電流の向きを逆にすれば良い。
【０００５】
各プローブ４，５は、その先端部からコア１の一部が円錐状に突出した点圧部１０を有し、それによってツボ等を指圧できるようにされている。
特にコア１が薄鋼板を積み重ねて成るものであれば、点圧部１１の肌触りを良好にするために例えば合成樹脂より成るキャップを装着しても良いし、磁気発生手段３を内蔵するフレーム１１の先端に中空な点圧部１０を一体的に突設し、その中空部にコア１の先端を挿入しておいても良い。
尚、コア１には、断面が楕円形、三角形、多角形等のものを用いることも可能である。
【０００６】
制御部６は、プローブ４，５が発生する磁気の強度を調節する磁気調節手段と、磁気をパルス状に発生させ周期を可変するスイッチング手段と、パルス状の磁気のデューティー比を変化させるデューティー比調節手段を具備し、多様なパルス電流（直流電流を含む）を供給できるようにされている。
【０００７】
磁気調節手段は、直流の可変電流源であって、操作パネル１２の摘み１３と一体となったポテンショメータにて各プローブ４，５に供給する電流量を調節するものである。
本実施例は、最高千数百ガウス発生できるように設計してある。
又、スイッチング手段は、磁気調節手段の出力電流に対し、パルス信号によるスイッチングを行うものであり、デューティー比調節手段は、該パルス信号のデューティー比を変えるものである。
前記パルス信号の周波数やデューティー比を変えることにより、それによってスイッチングされた電流は、パルス信号とほぼ同形状のパルス電流となりプローブ４，５へ供給される。
【０００８】
スイッチング手段は、例えばマイクロコンピュータとトランジスタやリレー等のスイッチング素子とで構成し、パルス信号の周波数を変化させる機能やデューティー比調節手段は、該マイクロコンピュータの機能を駆使してソフトウエアにて構築する。
即ち、マイクロコンピュータで周波数とデューティー比を可変し得るパルスジェネレータを構築し、その出力信号でスイッチング素子を起動する形態を採れば良い。
マイクロコンピュータによる制御として、例えば、操作するものが摘みであれば、ロータリーエンコーダを介して周波数設定データ或いはデューティー比設定データをマイクロコンピュータのポートへ入力すると、それらのデータに応じて基本クロックが分周され、１周期のクロック数に対するオン時及びオフ時のクロック数をカウントすることによって所望の周波数とデューティー比を満たすパルス信号を形成することができる。
稼動時間を決めるタイマー機能は、前記マイクロコンピュータで実現しても良いし、別のタイマーを付設しても良い。
表示については残り時間、磁気の強さなど適宜表示すれば良い。
【特許文献１】特開平８−２５２３３１号公報（（０００９）〜（００１４）
【考案の開示】
【考案が解決しようとする課題】
【０００９】
しかし、上記特許文献１に記載の磁気治療器では、Ｎ極とＳ極とを別個のプローブで構成して、
（１）地肌とプローブとの距離を変える、
（２）プローブを身体に近接させた状態でエヌプローブとエスプローブとの距離を変化させる、（尚、両プローブのうち一方を固定しても良いし両方を同時に移動させても良い）
（３）エヌプローブとエスプローブを所定の位置に当てて少なくとも一方の磁気の強さ、又は周波数、又はデューティー比を変化させる、
（４）点圧部をツボに当てて刺激する、
等の磁気治療器の操作に多くの経験を要するものであった。
【００１０】
本考案の課題（目的）は、操作に多くの経験を要することなく、患者自身でも操作が可能で、患者の状況に合った調節が容易にできる磁気治療器を提供することにある。
【課題を解決するための手段】
【００１１】
前記課題を解決するために、発振器によって発生された周波数及び電流の大きさが可変のパルス電流を磁力線発生手段に供給して、磁力線を発生させる磁気治療器であって、
少なくとも１対の電磁石と、該電磁石を形成する１対の鉄芯の一端間を連結板で連結した前記磁力線発生手段を筐体内に収納すると共に、前記１対の鉄芯の他端を分離した状態で前記筐体の一部に形成される接触板に密着させることを特徴とする磁気治療器。（請求項１）
【００１２】
また、前記筐体及び接触板は、磁気治療器の使用時に、当該筐体を手で保持して、接触板を患者の患部に容易にあてがうのに適した形状及び大きさに形成されることを特徴とする。（請求項２）
また、前記磁気治療器は、前記発振器と前記筐体が別体に形成され、前記発振器に設けられた少なくとも１個の出力用コネクタを介して分離可能に構成されていることを特徴とする。（請求項３）
また、前記発振器をコンピュータを含む制御回路によって制御されるＰＷＭインバータで形成することを特徴とする。（請求項４）
また、前記コンピュータの記憶部には、患者毎のパルス電流の周波数及び電流の大きさを含む履歴情報を蓄積しておくことを特徴とする。（請求項５）
【考案の効果】
【００１３】
請求項１〜５に記載の磁気治療器によれば、操作に多くの経験を要することなく、患者自身でも操作が可能で、患者の状況に合った調節が容易にできる磁気治療器を実現できる。
【考案を実施するための最良の形態】
【００１４】
本考案の基本的な構成を図１を用いて説明する。
図１において、１１は本考案の磁気治療器の本体であって、筐体１１−ａ及び当該筐体の一部を形成する非磁性体の接触板１１−ｂで構成され、内部に磁力線発生部が内蔵されている。
前記筐体は磁気治療器の使用時に、当該筐体を手で保持して、接触板を患者の患部に容易にあてがうのに適した形状及び大きさ（重量）に形成される。
図１では、筐体の形状が矩形状に示されているが、患者の患部にあてがうにに適した任意の形状にすることが可能である。
また、前記磁力線発生部は、１対の鉄心１３−ａ，１３−ｂと該鉄心に巻回されたコイル１２−ａ，１２−ｂより成る電磁石と、連結板１４で構成されている。
前記１対の電磁石の鉄芯の一端は前記連結板１４で磁気的に接続されると共に、鉄芯の他端は分離して前記筐体の一部に形成される接触板１１−ｂに固定（密着）されている。
【００１５】
また、１５は商用交流電源１６に接続された発振器（インバータ）であって、コネクター１７を介して前記本体の１対の電磁石にパルス電流を供給する。
次に、発振器（インバータ）の構成の１例を図２を用いて説明する。
図２において、発振器を構成するインバータはＰＷＭ（Pulse-Width-Modulation）インバータであって、商用交流電源（１００Ｖ）に接続されたトランス１５−ａ、整流回路１５−ｂ、平滑回路１５−ｃ、インバータ１５−ｄ及び制御回路１５−ｅで構成されている。
発振器１５を制御回路１５−ｅに含まれるコンピュータで制御されるＰＷＭインバータで構成することによって、パルス電流の周波数及びヂューティ比を容易に可変して、パルス電流の大きさを容易に制御できる。
【００１６】
商用交流電源は、トランス１５−ａを介して整流回路１５−ｂで整流されて平滑回路１５−ｃによって直流電圧に変換される。
該直流電圧は、制御回路１５−ｅの制御によって制御されるインバータ１５−ｄで、任意の周波数のパルス電流に変換されて、コネクタ１７を介して磁力線発生部に供給される。
インバータ１５−ｄは、制御回路１５−ｅによって、任意の周波数及び電流に制御することができる。
【００１７】
次に、本考案の磁気治療器の使用の仕方を説明する。
図１の筐体１１の接触板１１−ｂが患者（操作者自身でも良い）の患部上にあてがうことによって、患者の人体によって分離された１対の鉄芯１３−ａ及び１３−ｂを磁気回路を構成する。（即ち、１対の電磁石によって発生した磁力線は、１対の鉄芯１３−ａ、１３−ｂ、連結板１４及び人体を介した磁気閉回路を流れることになる。）
人体に対する磁力線の浸透力は、発振器（インバータ）によって発生されたパルス電流の周波数及び電流値によって異なるので、制御回路１５−ｅによって、患者の症状や状態に合わせて任意の値に調節することができる。
【００１８】
制御回路にコンピュータを使用することによって、前記パルス電流の周波数及び電流の大きさの制御を簡単な操作で実現できる。
また、このパルス電流の周波数及び電流の大きさの制御を患者自身が行うこともできる。
さらに、コンピュータの記憶部に、患者毎の前回の使用時における周波数及び電流値を記憶しておくことによって、患者毎の最適の周波数及び電流値に簡単に設定することも可能である。
【００１９】
また、図１に示すものでは、筐体内に磁力線発生部が１個設けるものが示されているが、筐体内に、複数の磁力線発生部を設けることによって、患部の広い範囲に磁力線を浸透させる構成とすることも可能である。
また、図１に示すものでは、発振器（インバータ）１５から、出力パルス電流を取り出すためのコネクタ１７が１個設けられているが、出力パルス電流を取り出すためのコネクタ１７を複数個設けて、複数の患者に対して並列的（同時）に使用することも可能である。
【産業上の利用可能性】
【００２０】
請求項１〜５に記載の磁気治療器によれば、操作に多くの経験を要することなく、患者自身でも操作が可能で、患者の状況に合った調節が容易にできる磁気治療器を実現できるので、産業上の利用可能性は極めて大きい。
【図面の簡単な説明】
【００２１】
【図１】本考案の磁気治療器の基本的な構成を示す図である。
【図２】発振器の詳細な構成を示す図である。
【図３】従来の磁気治療器の構成を示す図である。
【符号の説明】
【００２２】
１１−ａ            筐体
１１−ｂ            接触板
１２−ａ，１２−ｂ  巻線（コイル）
１３−ａ，１３−ｂ  鉄芯
１４                連結板
１５                発振器（インバータ）
１５−ａ            トランス
１５−ｂ            整流回路
１５−ｃ            平滑回路
１５−ｄ            インバータ
１５−ｅ            制御回路
１６                商用交流電源
１７                コネクタ
【図１】
0003103766.tif 000003
【図２】
0003103766.tif 000004
【図３】
0003103766.tif 000005